(57)【要約】【課題】手乾燥装置に芳香、消臭する装置を設けて手の芳香や消臭をする場合に、挿入した手が本体に触れることのないようにする。【解決手段】乾燥空間４は、吸気口を介して滑らかに垂れ下がりながら顎部３に至り、下側手前に湾曲して立ち上がり、側面視で略Ｃ形状を成した風旋回面９で形成され、この風旋回面９の左右両側に立ち上がり部１０を設けるとともに、風旋回面９の最底部で、左右両側端の立ち上り部１０近傍にドレン穴１１を設け、このドレン穴１１の下部に水受けカップ１３を設けたことにより、使用時に乾燥装置本体に触れる不快感がなく、手乾燥と芳香、消臭をおこなう手乾燥装置が得られる。【選択図】図１
2008183089.tif 000002
【特許請求の範囲】
【請求項１】
上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出しノズルの近傍に噴出し穴を設けたケースを備えこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり、側風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けた手乾燥装置。
【請求項２】
上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルを備えこの吹出ノズルの下方に乾燥空間を介して前記吹出ノズルからの風を前端近傍で受ける風受け面を上面に有した前記顎部と、この顎部の先端に噴出し穴を設けたケースを備えた乾燥装置であって、前記乾燥空間は、前記吸気口を介して滑らかに垂れ下がりながら前記顎部に至り、下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設たこのドレン穴の下部に水受けカップを設けた手乾燥装置。
【請求項３】
噴出し穴を設けたケースが製品の化粧板を兼ねた請求項１記載の手乾燥装置。
【請求項４】
ケースを、吹出しノズルより手前に配置した請求項１または３記載の手乾燥装置。
【請求項５】
上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けこの水受けカップの上部に噴出し穴を設けたケースを備えた手乾燥装置。
【請求項６】
噴出し穴を設けたケースに開口調整板を設けた請求項１、２または５記載の手乾燥装置。
【請求項７】
噴出し穴を設けたケースを上ケースと下ケースに分割し上ケースを本体に固定し下ケースに差込形状と爪を設けた請求項１、２または５記載の手乾燥装置。
【請求項８】
上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出しノズル内側の側壁に噴出し穴を設けたケースを備えこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けた手乾燥装置。
【請求項９】
吹出しノズルの内側の側壁に設けた噴出し穴に開閉器を備えた請求項８記載の手乾燥装置。
【請求項１０】
吹出しノズルを、ガラス繊維を含有した合成樹脂とした請求項１、２、４、５、８、９のいずれかに記載の手乾燥装置。
【発明の詳細な説明】
【技術分野】
【０００１】
本発明は、洗面所やトイレなどにて手を洗い濡れた手を乾燥させる手乾燥装置に関する。
【背景技術】
【０００２】
従来、この種の手乾燥装置については、両面から風を吹き出す空間に手を挿入して手の乾燥と手にたいする消毒と香り付けをする手乾燥装置が知られている（例えば、特許文献１参照）。
【０００３】
また、乾燥空間の上方にファンモーターを備え、乾燥空間の上方から空気を吹出す手乾燥装置が知られている（例えば、特許文献２参照）。
【０００４】
また、トイレ空間の芳香、消臭は芳香剤もしくは消臭剤に直接風をあて揮発させる必要があり、そのため、芳香剤もしくは消臭剤ケースの中にファンモーターを設け芳香剤、消臭剤に直接吹き付け揮発させていた。
【特許文献１】特開平７−１３６０７９号公報
【特許文献２】特許第３４８８０６６号公報
【発明の開示】
【発明が解決しようとする課題】
【０００５】
しかし、特許文献１に示される手乾燥装置にあっては、消毒、香り付けという装置を設けても、狭い空間に手を挿入しなければならず、使用時に手が本体に触れてしまうという不快感を生じていた。さらにこのタイプの手乾燥装置では、手を挿入するための十分な奥行きを確保する必要があり、狭い空間で深い奥行きのために、不清潔感を生じていた。
【０００６】
また、狭い空間のため手もみができず消毒剤、芳香剤をむらなく手になじませることができない問題を生じていた。
【０００７】
また、消毒液、芳香剤の定期的交換、メンテや設置場所による芳香の強弱の調整が容易でないという問題を生じていた。
【０００８】
一方、特許文献２に示される手乾燥装置にあっては、乾燥空間が広く、清潔感は確保されていたが、芳香剤、消臭剤を噴霧する装置を備えていないという課題を有していた。
【０００９】
また、トイレ空間の芳香、消臭にはファンモーターを備えた専用装置を必要とし、トイレ設備の設備費用を圧迫していた。
【００１０】
そこで、本発明は、使用時に乾燥装置本体に触れる不快感がなく、手乾燥と芳香、消臭をおこなう手乾燥装置を提供することを目的とする。
【００１１】
また、芳香剤、消臭剤収納ケースの容易な着脱と芳香、消臭の臭いの強弱を調整を可能とした手乾燥装置を提供することを目的とする。
【００１２】
また、手乾燥装置の送風を利用し芳香、消臭をおこなう手乾燥装置を提供することを目的とする。
【課題を解決するための手段】
【００１３】
本発明の手乾燥装置は上記目的を達成するために、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出しノズルの近傍に噴出し穴を設けたケースを備えこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり、側風旋回面で形成され、この側風旋回面の左右両側に立ち上がり部を設けるとともに、前記風旋回面の最底部で、左右両側端の前記立ち上り部近傍にドレン穴を設けこのドレン穴の下部に水受けカップを設けたことを特徴とする。
【００１４】
また、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルを備えこの吹出ノズルの下方に乾燥空間を介して前記吹出ノズルからの風を前端近傍で受ける風受け面を上面に有した前記顎部と、この顎部の先端に噴出し穴を設けたケースを備えた乾燥装置であって、前記乾燥空間は、前記吸気口を介して滑らかに垂れ下がりながら前記顎部に至り、下側手前に湾曲して立ち上がり風旋回面で形成され、この風旋回面の左右両側に立ち上がり部を設けるとともに、前記風旋回面の最底部で、左右両側端の前記立ち上り部近傍にドレン穴を設たこのドレン穴の下部に水受けカップを設けたことを特徴とする。
【００１５】
また、この噴出し穴を設けたケースが製品の化粧板を兼ねたことを特徴とする。
【００１６】
また、ケースを、吹出しノズルより手前に配置したことを特徴とする。
【００１７】
また、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けこの水受けカップの上部に噴出し穴を設けたケースを備えたことを特徴とする。
【００１８】
また、この噴出し穴を設けたケースに開口調整板を設けたことを特徴とする。
【００１９】
また、この噴出し穴を設けたケースを分割し上ケースを本体に固定し下ケースに差込形状と爪を設けたことを特徴とする。
【００２０】
また、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出しノズル内側の側壁に噴出し穴を設けたケースを備えこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けたことを特徴とする。
【００２１】
また、この吹出しノズルの内側の側壁に設けた噴出し穴に開閉器を備えたことを特徴とする。
【００２２】
また、吹出しノズルを、ガラス繊維を含有した合成樹脂としたことを特徴とする。
【発明の効果】
【００２３】
本発明によれば、狭い空間に手を挿入することなく、また使用時に手が本体に触れてしまうという不快感を生じることない、乾燥室が広い清潔感が確保された空間での手乾燥と手に芳香剤もしくは消臭剤を噴霧し乾燥室空間での手もみによりむらなく芳香もしくは消臭することができるという効果のある手乾燥装置を提供できる。
【００２４】
また、芳香剤、芳香剤の定期的交換メンテを容易に行い、また設置場所の使用環境に応じて芳香もしくは消臭の臭いの強弱を容易に行うことができるという効果のある手乾燥装置を提供できる。
【００２５】
また、トイレ空間の芳香、消臭にファンモーターを備えた専用装置を必要することなく、トイレ設備の設備費用軽減することができるという効果のある手乾燥装置を提供できる。
【発明を実施するための最良の形態】
【００２６】
本発明の請求項１記載による手乾燥装置は、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出しノズルの近傍に噴出し穴を設けたケースを備えこの吹出ノズルの下方に乾燥空間を介して前記吹出ノズルからの風を前端近傍で受ける風受け面を上面に有した前記顎部を備えた乾燥装置であって前記乾燥空間は前記吸気口を介して滑らかに垂れ下がりながら前記顎部に至り下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けたことを特徴とし、本実施形態によれば、手乾燥装置のファンケーシングから吹出される噴流が風旋回面を介して吹出し穴設けたケース内に収納した芳香剤もしくは消臭剤を揮発し、手の乾燥と芳香もしくは消臭をするとともに、トイレ空間の芳香、消臭をおこなうことができるという作用を有する。
【００２７】
また、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルを備えこの吹出ノズルの下方に乾燥空間を介して前記吹出ノズルからの風を前端近傍で受ける風受け面を上面に有した前記顎部と、この顎部の先端に噴出し穴を設けたケースを備えた乾燥装置であって、前記乾燥空間は、前記吸気口を介して滑らかに垂れ下がりながら前記顎部に至り、下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設たこのドレン穴の下部に水受けカップを設けたことを特徴とし、本実施形態によれば、手乾燥装置のファンケーシングから吹出される噴流が風旋回面を介して吹出し穴設けたケース内に収納した芳香剤もしくは消臭剤を揮発し、手の乾燥と芳香もしくは消臭をするとともに、トイレ空間の芳香、消臭をおこなうことができる。
【００２８】
また、この噴出し穴を設けたケースが製品の化粧板を兼ねたことを特徴とし、噴出し穴を設けたケースと機能を有しない製品のアクセントしての化粧板とを兼ねることによりコスト低減を図ることができるという作用を有する。
【００２９】
また、ケースを、吹出しノズルより手前に配置したことを特徴とし、ケースが化粧板の役割を果たすことができるという作用を有する。
【００３０】
また、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり、風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けこの水受けカップの上部に噴出し穴を設けたケースを備えたことを特徴とし、水受けカップに溜まった残留水から発生する臭いを芳香もしくは消臭することができるという作用を有する。
【００３１】
また、この噴出し穴を設けたケースに開口調整板を設けたことを特徴とし、穴の開口を開口調整板により変化させることにより芳香、消臭の臭いの強弱を調整するという作用を有する。
【００３２】
また、この噴出し穴を設けたケースを分割し上ケースを本体に固定し下ケースに差込形状と爪を設けたことを特徴とし、芳香剤、消臭剤交換時に工具を使用せず下ケースの爪を指で押し引き出すことにより、ケースを容易に取り出し芳香剤、消臭剤を交換できるという作用を有する。
【００３３】
また、上部ケーシングに連なる吸気口とこの吸気口に連なる顎部からなり前記上部ケーシングには送風手段とこの送風手段から連通した送風路の末端で前記上部ケーシングの前面下部近傍に吐出した吹出ノズルとこの吹出しノズル内側の側壁に噴出し穴を設けたケースを備えこの吹出ノズルの下方に乾燥空間を介して前記吹出ノズルからの風を前端近傍で受ける風受け面を上面に有した前記顎部を備えた乾燥装置であって、前記乾燥空間は、前記吸気口を介して滑らかに垂れ下がりながら前記顎部に至り、下側手前に湾曲して立ち上がり風旋回面で形成され、この風旋回面の左右両側に立ち上がり部を設けるとともに、前記風旋回面の最底部で、左右両側端の前記立ち上り部近傍にドレン穴を設けこのドレン穴の下部に水受けカップを設けたことを特徴とし本実施形態によれば、手乾燥装置のファンケーシングから吹出される噴流が風旋回面を介して吹出し穴を設けたケース内に収納した芳香剤もしくは消臭剤を揮発し、手の乾燥と芳香もしくは消臭をするとともに、トイレ空間の芳香、消臭をおこなうことができるという作用を有する。
【００３４】
また、この吹出しノズルの内側の側壁に設けた噴出し穴に開閉器を備えたことを特徴とし、使用者の好みにより芳香、消臭の有無を選択できるという作用を有する。
【００３５】
また、吹出しノズルを、ガラス繊維を含有した合成樹脂としたことを特徴とし、吹出される高温の温風はガラス繊維によって熱による損傷を防ぐことができるという作用を有する。
【００３６】
以下、本発明の実施の形態について図面を参照しながら説明する。
【００３７】
（実施の形態１）
以下、本発明の実施形態による手乾燥装置について図面を用いて説明する。
【００３８】
まず、図１〜図５を用いて本実施形態による手乾燥装置の外観形状について説明する。
【００３９】
図１は、手乾燥装置の側面図、図２は同手乾燥装置の正面図、図３は同手乾燥装置の側面図、図４は同装置の手を差し込んでない時の風の流れを示す図、図５は同手乾燥装置の手を差し込んだ時の風の流れを示す図である。
【００４０】
壁面に固定された本体１は、上部ケーシング２より下方に吸込を設けさらに下方に連なり吸入壁２０、顎部３で構成され、上部ケーシング２と吸入壁２０と顎部で３に囲まれた空間に乾燥空間４で構成している。
【００４１】
上部ケーシング２内には、送風手段５とこの送風手段５から連通した送風路２１、この送風路２１内に発熱手段１５、そして送風路外に制御手段２２を設けている。
【００４２】
上部ケーシング２の前面下部下端部近傍には吹出しノズル７を設け、この吹出しノズル７の下方に乾燥空間４を介して、吹出しノズル７からの風を受けている風受け面８を上面に有した顎部３が設けられている。
【００４３】
吹出しノズル７の近傍（手前もしくは後方など）にはケースを設けており、ケース内には噴出し穴を設けている。
【００４４】
乾燥空間４は、上部ケーシング２の下面と、それに連なり下方に吸気壁２０とこの吸気壁２０の下部に連なる風受け面８を有した顎部３より風旋回面９で構成されている。
【００４５】
したがって、本体１の前部と左右側面が乾燥空間４より開放されている。前部の開放部は、手や腕を入れるのに十分なスペースが確保されている。
【００４６】
そして、図２に示すように、吹出しノズル７の横幅は風旋回面９の横幅より狭くなっている。
【００４７】
また、風旋回面９の左右両側端には立ち上り部１０が設けられている。
【００４８】
また、立ち上り部１０は、吸入壁２０や上部ケーシング２の部分にもあり、全体に滑らかに連設されている。
【００４９】
また、吹出しノズル７の近傍には乾燥空間４内に差し出した手を検知する検知手段１４を設け、制御手段２２の検知信号を受けて送風手段５および発熱手段１５を駆動制御している。
【００５０】
また、送風手段５は、モーター２３により回転駆動されるブロワー２４を備え、この送風手段５と吹出しノズル７との間には発熱手段１５を配設している。
【００５１】
また、顎部３の風受け面８上すなわち風旋回面９の最低部左右には水抜き用のドレン穴１１が設けられている。
【００５２】
また、水受けカップ１３は、ドレン穴１１の下に位置し、顎部３と密着するとともに着脱可能に取り付けられている。
【００５３】
上記構成において、吹出しノズル７の下方に手が差し込まれると、検知手段１４が手を検知してその検知出力がオンとなり、制御手段２２を介して送風手段５と発熱手段１５を動作させて、吹出しノズル７より温風を送風する。その際、ケース内に風が誘引されケース内に入れた芳香剤もしくは消臭剤を揮発しケースの吹出し穴から芳香もしくは消臭され、そして、手を抜くと、制御手段２２より送風手段５を停止する。
【００５４】
また、手乾燥を行わず芳香、消臭のみおこなう場合はスイッチ２５により自動運転モードにセットし連続運転を行う。
【００５５】
そして、自動運転モードの場合は、ブロワー２４の回転は微弱もしくは微弱の間欠運転を行う。
【００５６】
差し込まれた手の上下部においては、吹出しノズル７より吹出された風とケースの噴出し穴から吹出された風が合流し図５の矢印Ｂの様に、手の上部表面に沿って流れた後、上下に向かう風と手の前方部と吸入壁２０との隙間を通り下方に向かう風に分かれる。
【００５７】
上方に向かう風は、吸気口６から上部ケーシング２の下部に沿って流れ、再び吹出しノズル７から吹出された風に合流して流れることになる。
【００５８】
一方、下方に向かう風は、手の前方部から吸入壁２０の下部に至り、吸入壁２０の下部から顎部３の風受け面８が手前上方に湾曲していることから上方の手の方へ流れることになる。
【００５９】
また、差し込まれていない状態には吹出しノズル７より吹出された風とケースの噴出し穴から吹出された風が合流し図４の矢印Ａの様に顎部３の風受け面８の前端近傍にあたり風旋回面９に沿って吸入壁２０を上方に流れ吸込口６を通過し上部ケーシング２の下面に到って、さらに吹出しノズル７の噴流とケースの噴出し穴から吹出された風が合流しループ状に流れ旋回する。
【００６０】
また、手から分離する水滴の多くは顎部３の風受け面８に飛散するが、風受け面８の最底部左右にあるドレン穴１１より水受けカップ１３に流れ落ちる。
【００６１】
（実施の形態２）
実施の形態１と同じ部分は同じ番号で示し、詳細な説明は省略する。
【００６２】
図６は、手乾燥装置の正面図を示す。
【００６３】
吹出しノズル７から吹出す風は、発熱手段１５通過時に約３０〜４０Ｋの温度上昇するその時の発熱手段１５のＰＴＣヒーターの素子温度は通常使用するトイレ等の使用環境での雰囲気温度で２００℃を超える。また、吹出しノズル７は、発熱手段１５の温度損失を抑えるためできるだけ発熱手段に近接した直下に配置し、それにより耐熱温度が要求され且つ、吹出しノズル７の内側は滑らかな形状で手の形状に合わせたノズル配列になるため複雑な形状を要求される、そのため吹出しノズル７は合成樹脂で耐熱温度を上げるためにガラス繊維を約３０％含有したもので成型される。
【００６４】
吹出しノズル７は旋回流を生じさせるため、本体側面からみて手前に配置することが多くその場合、吹出しノズル７は手乾燥時に使用者より目立つ存在になる。
【００６５】
しかしながら吹出しノズル７は先に説明したガラス繊維が表面に筋のように現れ製品の見栄えを著しく損なうこととなる。
【００６６】
そのため、別途化粧板が必要とされていたが、ケース１２を吹出しノズル７より手前に配置し化粧板を兼ねコストを低減する。
【００６７】
（実施の形態３）
実施の形態１および２と同じ部分は同じ番号で示し、詳細な説明は省略する。
【００６８】
図７は、手乾燥装置の側面図を示す図であり、図８は、風の流れを示す図である。
【００６９】
ケース１２は顎部３の風受け面８の前端に配置し、吹出しノズル７より吹出された風がケース１２に当たるときにケース１２の隙間より入った風がケース１２内の芳香剤もしくは消臭剤を揮発させケース１２の吹出し穴より芳香もしくは消臭する。
【００７０】
（実施の形態４）
実施の形態１、２および３と同じ部分は同じ番号で示し、詳細な説明は省略する。
【００７１】
図９は実施の形態４の三面図を示す。
【００７２】
ケース１２は水受けカップの喫水ラインより上方に配置する。
【００７３】
そして、水受けカップ内には実施の形態１で説明した吹出しノズル７より吹出された風が微少であるがドレン穴を通過しケース１２内の芳香剤もしくは消臭剤を揮発させ芳香、消臭し、水受けカップ内にたまった汚水から発生する臭いを抑える。
【００７４】
また、ドレン穴より芳香もしくは消臭さてた風が流れるために風旋回面や風受け面についた汚れより発生する臭いを抑える。
【００７５】
（実施の形態５）
図１０は実施の形態５の斜視図を示す。
【００７６】
ケース１２内に開口調整板２６を配置する。それにより容易に指でスライドしケース１２から出る吹出しの開口を調整し使用環境に合わせた芳香もしくは消臭をおこなう。
【００７７】
（実施の形態６）
図１１は実施の形態６の斜視図を示す。
【００７８】
この噴出し穴を設けたケース１２を分割し上ケース１２Ａを本体１に固定し下ケース１２Ｂに差込形状１２Ｃと爪１２Ｄを設け、芳香剤、消臭剤交換時に工具を使用せず下ケース１２Ｂの爪１２Ｄを指で押し引き出すことにより、ケースを容易に取り出し芳香剤、消臭剤を交換を容易におこなう。
【００７９】
（実施の形態７）
図１２は実施の形態７の側面図を示す。
【００８０】
実施の形態１、２および３と同じ部分は同じ番号で示し、詳細な説明は省略する。
【００８１】
実施例１で説明した吹出しノズル内側の側壁に噴出し穴を設けたケース１２を備え吹出しノズルから風が出る直前で芳香剤、消臭剤を揮発させ芳香、消臭をおこなう。
【００８２】
（実施の形態８）
図１３は実施の形態８の側面図を示す。
【００８３】
図１４は実施の形態８の正面図を示す。
【００８４】
実施の形態１、２および３と同じ部分は同じ番号で示し、詳細な説明は省略する。
【００８５】
実施例１で説明した吹出しノズル７内側の側壁に吸入パイプ１８を通しこの吸入パイプ１８とケース１２を直結するそしてケース１２と外パイプ１９を直結し外パイプの反対側は本体１の外に配置し、吹出しノズル７より吹出す際吸入パイプ１８より外気→外パイプ１９→ケース１２の空気を誘引しケース１２内の芳香剤もしくは消臭剤を揮発させ芳香、消臭をおこなう。
【００８６】
また吸入パイプ間に電磁弁１６を備え電磁弁１６は制御手段２２の信号により電磁弁の開閉を行う。
【００８７】
また、正面にプッシュスイッチ１７を備えこのプッシュスイッチ１７は制御手段２２にオン、オフの信号を送信する。
【００８８】
すなわち使用者は自身の好みに合わせプッシュスイッチ１７のオン、オフを行い芳香もしくは消臭の有無を選択する。
【００８９】
また本実施の形態はケース１２を１つ設けているが、吹出しノズル７の内側に数本の吸入パイプ１８と吸入パイプの数に合わせたケース１２、外パイプ１９、電磁弁１６、プッシュスイッチ１７を備え、ケース１２にはそれぞれ違う種類の芳香剤もしくは消臭剤をいれ使用者は自分の好みに合わせそれぞれのプッシュスイッチ１７のオン、オフを選択し使用する。
【産業上の利用可能性】
【００９０】
本発明の手乾燥装置は、レストランやホテルなどの洗面台やトイレに設置され、また病院の手術室や調理場においても適用できる。
【図面の簡単な説明】
【００９１】
【図１】本発明の実施の形態１の手乾燥装置を示す側構成図
【図２】同手乾燥装置の正面図
【図３】同手乾燥装置を示す側構成図
【図４】同手乾燥装置の手を差し込んでない時の風の流れを示す側構成図
【図５】同手乾燥装置の手を差し込んだ時の風の流れを示す側構成図
【図６】本発明の実施の形態２の手乾燥装置を示す正面図
【図７】本発明の実施の形態３の手乾燥装置を示す側構成図
【図８】同手乾燥装置の手を差し込んでない時の風の流れを示す側構成図
【図９】本発明の実施の形態４の手乾燥装置の本体下部を示す図（（ａ）上面図、（ｂ）正面図、（ｃ）側構成図）
【図１０】本発明の実施の形態５の手乾燥装置の開口調整板を設けたケースの斜視図
【図１１】本発明の実施の形態６のケースを分割した斜視図
【図１２】本発明の実施の形態７の手乾燥装置を示す側構成図
【図１３】本発明の実施の形態８の手乾燥装置の上部を示す側構成図
【図１４】同手乾燥装置の上部を示す正面図
【符号の説明】
【００９２】
１      本体
２      上部ケーシング
３      顎部
４      乾燥空間
５      送風手段
６      吸込口
７      吹出しノズル
８      風受け面
９      風旋回面
１０    立ち上り部
１１    ドレン穴
１２    ケース
１２Ａ  上ケース
１２Ｂ  下ケース
１２Ｃ  差込形状
１２Ｄ  爪
１３    水受けカップ
１４    検知手段
１５    発熱手段
１６    電磁弁
１７    プッシュスイッチ
１８    吸入パイプ
１９    外パイプ
２０    吸入壁
２１    送風路
２２    制御手段
２３    モーター
２４    ブロワー
２５    スイッチ
２６    開口調整板
【図１】
2008183089.tif 000003
【図２】
2008183089.tif 000004
【図３】
2008183089.tif 000005
【図４】
2008183089.tif 000006
【図５】
2008183089.tif 000007
【図６】
2008183089.tif 000008
【図７】
2008183089.tif 000009
【図８】
2008183089.tif 000010
【図９】
2008183089.tif 000011
【図１０】
2008183089.tif 000012
【図１１】
2008183089.tif 000013
【図１２】
2008183089.tif 000014
【図１３】
2008183089.tif 000015
【図１４】
2008183089.tif 000016